(57)【要約】【課題】ユーザの眼の分解能及び視距離に関わらず高画質の画像をユーザに提供することができる表示装置を提供する。【解決手段】画像を表示する表示部と、表示部を見ているユーザの眼の分解能を判断する分解能判断部と、表示部とユーザとの距離である視距離を測定する視距離測定部と、分解能判断部が判断した分解能、及び視距離測定部が測定した視距離に基づいて、表示部に表示される画像のエッジ領域において空間周波数の高周波成分を強調する画像処理部とを備える。【選択図】図２
2005338418.tif 000002
【特許請求の範囲】
【請求項１】
画像を表示する表示部と、
前記表示部を見ているユーザの眼の分解能を判断する分解能判断部と、
前記表示部と前記ユーザとの距離である視距離を測定する視距離測定部と、
前記分解能判断部が判断した前記分解能、及び前記視距離測定部が測定した前記視距離に基づいて、前記表示部に表示される画像のエッジ領域において空間周波数の高周波成分を強調する画像処理部と
を備える表示装置。
【請求項２】
前記画像処理部は、前記表示部が有する表示画素を構成する各色毎に、前記表示部に表示される画像のエッジ領域において空間周波数の高周波成分を強調する
請求項１に記載の表示装置。
【請求項３】
前記画像処理部は、前記ユーザの眼によって認識することができない空間周波数の高周波成分を、前記表示部に表示される画像のエッジ領域に重畳する
請求項１に記載の表示装置。
【請求項４】
前記画像処理部は、前記表示部に表示される画像のエッジのレベルを強調し、前記エッジに隣接する領域のレベルを、前記エッジのレベル強調と反対の方向に強調する
請求項２に記載の表示装置。
【請求項５】
前記ユーザの眼の分解能である近視視力に対応づけて距離を格納する処理開始距離格納部
をさらに備え、
前記画像処理部は、前記視距離測定部が測定した前記視距離が、前記分解能判断部が判断した前記分解能に対応づけて前記処理開始距離格納部が格納する前記距離より大きい場合に前記表示部に表示される画像のエッジ領域において空間周波数の高周波成分を強調し、前記分解能判断部が判断した前記分解能に対応づけて前記処理開始距離格納部が格納する前記距離より小さい場合に前記表示部に表示される画像のエッジ領域において空間周波数の高周波成分を強調しない
請求項１に記載の表示装置。
【請求項６】
前記ユーザの眼の分解能である遠視視力に対応づけて距離を格納する処理開始距離格納部
をさらに備え、
前記画像処理部は、前記視距離測定部が測定した前記視距離が、前記分解能判断部が判断した前記分解能に対応づけて前記処理開始距離格納部が格納する前記距離より小さい場合に前記表示部に表示される画像のエッジ領域において空間周波数の高周波成分を強調し、前記分解能判断部が判断した前記分解能に対応づけて前記処理開始距離格納部が格納する前記距離より大きい場合に前記表示部に表示される画像のエッジ領域において空間周波数の高周波成分を強調しない
請求項１に記載の表示装置。
【請求項７】
前記分解能判断部は、前記表示部が表示する画像における各方向毎に前記ユーザの眼の分解能を判断し、
前記画像処理部は、前記分解能判断部が判断した各方向毎の分解能のそれぞれ、及び前記視距離測定部が測定した前記視距離に基づいて、前記表示部に表示される画像のエッジ領域において空間周波数の高周波成分を各方向毎にそれぞれ強調する
請求項１に記載の表示装置。
【請求項８】
前記ユーザの眼の分解能に対応づけて距離を格納する処理開始距離格納部
をさらに備え、
前記画像処理部は、前記視距離測定部が測定した前記視距離が、所定の方向について前記分解能判断部が判断した前記分解能に対応づけて前記処理開始距離格納部が格納する前記距離より大きい場合に前記表示部に表示される画像のエッジ領域において前記所定の方向の空間周波数の高周波成分を強調し、前記所定の方向について前記分解能判断部が判断した前記分解能に対応づけて前記処理開始距離格納部が格納する前記距離より小さい場合に前記表示部に表示される画像のエッジ領域において前記所定の方向の空間周波数の高周波成分を強調しない
請求項７に記載の表示装置。
【請求項９】
前記表示部と前記ユーザとの距離である視距離毎の前記ユーザの眼の分解能を格納する視距離分解能格納部
をさらに備え、
前記分解能判断部は、前記視距離測定部が測定した前記視距離に対応づけて前記視距離分解能格納部が格納する前記ユーザの眼の分解能を判断し、
前記画像処理部は、前記分解能判断部が判断した前記分解能に基づいて、前記表示部に表示される画像のエッジ領域において空間周波数の高周波成分を強調する
請求項１に記載の表示装置。
【請求項１０】
表示部を見ているユーザの眼の分解能を判断する段階と、
前記表示部と前記ユーザとの距離である視距離を測定する段階と、
判断した前記分解能、及び測定した前記視距離に基づいて、前記表示部に表示される画像のエッジ領域において空間周波数の高周波成分を強調する段階と、
画像のエッジ領域において空間周波数の高周波成分を強調された画像を前記表示部に表示する段階と
を備える表示方法。
【請求項１１】
表示装置を、
表示部を見ているユーザの眼の分解能を判断する分解能判断部、
前記表示部と前記ユーザとの距離である視距離を測定する視距離測定部、
前記分解能判断部が判断した前記分解能、及び前記視距離測定部が測定した前記視距離に基づいて、前記表示部に表示される画像のエッジ領域において空間周波数の高周波成分を強調する画像処理部
として機能させるプログラム。
【発明の詳細な説明】
【技術分野】
【０００１】
本発明は、表示装置、表示方法、及びプログラムに関する。特に本発明は、ユーザの眼の分解能及び視距離に関わらず高画質の画像をユーザに提供する表示装置、当該表示装置による表示方法、及び当該表示装置用のプログラムに関する。
【背景技術】
【０００２】
ユーザの視線の停滞時間からユーザの視力を検出し、ユーザの視力に応じて画像の色、大きさ、コントラスト等を自動的に調整する表示装置が提案されている（例えば、特許文献１参照。）。
【特許文献１】特開２００１−２２８８４８号公報
【発明の開示】
【発明が解決しようとする課題】
【０００３】
しかしながら、表示装置を見る場合、その時々によって視距離が変換することがあり、単にユーザの視力のみからでは、ユーザが最も見やすい画像に調整をするが困難である。また、近視のユーザ、遠視のユーザ、乱視のユーザ等の様々な種類のユーザがいるので、視力のみによって一律に画像の調整方法を決定することができない。
【０００４】
そこで本発明は、上記の課題を解決することができる表示装置、表示方法、及びプログラムを提供することを目的とする。この目的は特許請求の範囲における独立項に記載の特徴の組み合わせにより達成される。また従属項は本発明の更なる有利な具体例を規定する。
【課題を解決するための手段】
【０００５】
本発明の第１の形態によると、画像を表示する表示部と、表示部を見ているユーザの眼の分解能を判断する分解能判断部と、表示部とユーザとの距離である視距離を測定する視距離測定部と、分解能判断部が判断した分解能、及び視距離測定部が測定した視距離に基づいて、表示部に表示される画像のエッジ領域において空間周波数の高周波成分を強調する画像処理部とを備える。
【０００６】
画像処理部は、表示部が有する表示画素を構成する各色毎に、表示部に表示される画像のエッジ領域において空間周波数の高周波成分を強調してもよい。
【０００７】
画像処理部は、ユーザの眼によって認識することができない空間周波数の高周波成分を、表示部に表示される画像のエッジ領域に重畳してもよい。
【０００８】
画像処理部は、表示部に表示される画像のエッジのレベルを強調し、エッジに隣接する領域のレベルを、エッジのレベル強調と反対の方向に強調してもよい。
【０００９】
ユーザの眼の分解能である近視視力に対応づけて距離を格納する処理開始距離格納部をさらに備え、画像処理部は、視距離測定部が測定した視距離が、分解能判断部が判断した分解能に対応づけて処理開始距離格納部が格納する距離より大きい場合に表示部に表示される画像のエッジ領域において空間周波数の高周波成分を強調し、分解能判断部が判断した分解能に対応づけて処理開始距離格納部が格納する距離より小さい場合に表示部に表示される画像のエッジ領域において空間周波数の高周波成分を強調しなくてもよい。
【００１０】
ユーザの眼の分解能である遠視視力に対応づけて距離を格納する処理開始距離格納部をさらに備え、画像処理部は、視距離測定部が測定した視距離が、分解能判断部が判断した分解能に対応づけて処理開始距離格納部が格納する距離より小さい場合に表示部に表示される画像のエッジ領域において空間周波数の高周波成分を強調し、分解能判断部が判断した分解能に対応づけて処理開始距離格納部が格納する距離より大きい場合に表示部に表示される画像のエッジ領域において空間周波数の高周波成分を強調しなくてもよい。
【００１１】
分解能判断部は、表示部が表示する画像における各方向毎にユーザの眼の分解能を判断し、画像処理部は、分解能判断部が判断した各方向毎の分解能のそれぞれ、及び視距離測定部が測定した視距離に基づいて、表示部に表示される画像のエッジ領域において空間周波数の高周波成分を各方向毎にそれぞれ強調してもよい。
【００１２】
ユーザの眼の分解能に対応づけて距離を格納する処理開始距離格納部をさらに備え、画像処理部は、視距離測定部が測定した視距離が、所定の方向について分解能判断部が判断した分解能に対応づけて処理開始距離格納部が格納する距離より大きい場合に表示部に表示される画像のエッジ領域において所定の方向の空間周波数の高周波成分を強調し、所定の方向について分解能判断部が判断した分解能に対応づけて処理開始距離格納部が格納する距離より小さい場合に表示部に表示される画像のエッジ領域において所定の方向の空間周波数の高周波成分を強調しなくてもよい。
【００１３】
表示部とユーザとの距離である視距離毎のユーザの眼の分解能を格納する視距離分解能格納部をさらに備え、分解能判断部は、視距離測定部が測定した視距離に対応づけて視距離分解能格納部が格納するユーザの眼の分解能を判断し、画像処理部は、分解能判断部が判断した分解能に基づいて、表示部に表示される画像のエッジ領域において空間周波数の高周波成分を強調してもよい。
【００１４】
本発明の第２の形態によると、表示部を見ているユーザの眼の分解能を判断する段階と、表示部とユーザとの距離である視距離を測定する段階と、判断した分解能、及び測定した視距離に基づいて、表示部に表示される画像のエッジ領域において空間周波数の高周波成分を強調する段階と、画像のエッジ領域において空間周波数の高周波成分を強調された画像を表示部に表示する段階とを備える。
【００１５】
本発明の第３の形態によると、表示装置を、表示部を見ているユーザの眼の分解能を判断する分解能判断部、表示部とユーザとの距離である視距離を測定する視距離測定部、分解能判断部が判断した分解能、及び視距離測定部が測定した視距離に基づいて、表示部に表示される画像のエッジ領域において空間周波数の高周波成分を強調する画像処理部として機能させる。
【００１６】
なお上記の発明の概要は、本発明の必要な特徴の全てを列挙したものではなく、これらの特徴群のサブコンビネーションもまた発明となりうる。
【発明の効果】
【００１７】
本発明によれば、ユーザの眼の分解能及び視距離に関わらず高画質の画像をユーザに提供する表示装置、当該表示装置による表示方法、及び当該表示装置用のプログラムを提供できる。
【発明を実施するための最良の形態】
【００１８】
以下、発明の実施形態を通じて本発明を説明するが、以下の実施形態は特許請求の範囲に係る発明を限定するものではなく、また実施形態の中で説明されている特徴の組み合わせの全てが発明の解決手段に必須であるとは限らない。
【００１９】
図１は、本発明に係る表示装置１００の機能の概要を示す。表示装置１００は、例えば、テレビ受像器、コンピュータ等の表示モニタである。なお、表示装置１００は、コンピュータ等の情報処理装置と、表示モニタ等の表示デバイスとから構成されてもよい。
【００２０】
表示装置１００は、表示装置１００が表示する画像を見ているユーザ１０２の眼の分解能、及び表示装置１００とユーザ１０２との距離である視距離に基づいて、表示する画像を補正する。具体的には、表示装置１００は、ユーザ１０２の眼の分解能としての近視視力、遠視視力、及び乱視視力、並びにユーザ１０２の視距離に起因する、画像のぼけを補償するため、画像にエッジ強調処理を施す。これにより、ユーザ１０２は、ユーザ１０２の眼の分解能又は視距離に関わらず、表示装置１００が表示する画像がぼけることなく高画質の画像として認識できる。
【００２１】
図２、図３、図４、及び図５は、本発明の第１実施形態に係る表示装置１００による表示方法の一例を示す。図２は、本実施形態に係る表示装置１００の構成の一例を示す。図３は、本実施形態に係る分解能判断部２０２が表示させる視力測定チャートの一例を示す。図４は、本実施形態に係る処理開始距離格納部２０４のデータ構成の一例を示す。図５は、本実施形態に係る画像処理部２０８による画像処理方法の一例を示す。
【００２２】
図２に示すように、表示装置１００は、視距離測定部２００、分解能判断部２０２、処理開始距離格納部２０４、画像格納部２０６、画像処理部２０８、及び表示部２１０を備える。なお、表示装置１００が、コンピュータ等の情報処理装置と、表示モニタ等の表示デバイスから構成される場合、情報処理装置が、視距離測定部２００、分解能判断部２０２、処理開始距離格納部２０４、画像格納部２０６、及び画像処理部２０８を備え、表示デバイスが、表示部２１０を備える。
【００２３】
視距離測定部２００は、表示部２１０を見ているユーザ１０２と表示部２１０との視距離を測定する。例えば、視距離測定部２００は、表示装置１００を遠隔操作するためのリモートコントローラから照射される赤外線等の光線に基づいて視距離を測定する。
【００２４】
具体的には、視距離測定部２００は、リモートコントローラから照射される赤外線等の光線の単位面積当たりの強度か視距離を算出してもよいし、また、視距離測定部２００は、表示装置１００の表面に複数の赤外線等の光線を検知する光線センサを有し、リモートコントローラから照射された赤外線等の光線の表示装置１００における照射面積から視距離を算出してもよい。
【００２５】
また他の例では、視距離測定部２００は、光をユーザ１０２に対して照射し、ユーザ１０２から反射した光に基づいて視距離を測定する測拒センサであってもよい。また、視距離測定部２００は、ユーザ１０２の画像を撮像し、画像におけるユーザ１０２の領域を画像マッチング等により抽出し、画像におけるユーザ１０２の大きさから視距離を算出してもよい。
【００２６】
分解能判断部２０２は、ユーザ１０２の眼の分解能を判断する。また、分解能判断部２０２は、表示部２１０が表示する画像における各方向毎にユーザ１０２の眼の分解能を判断する。即ち、分解能判断部２０２は、ユーザ１０２の眼の分解能として、ユーザ１０２の近視視力、遠視視力、及び乱視視力の少なくとも１つを判断する。ここで、近視視力とは、視距離が長い場合のユーザ１０２の眼の分解能であり、遠視視力とは、視距離が短い場合のユーザ１０２の眼の分解能であり、乱視視力とは、表示部２１０が表示する画像における各方向に対するユーザ１０２の眼の分解能である。
【００２７】
具体的には、分解能判断部２０２は、図３に示すような視力測定チャートを表示部２１０に表示させ、リモートコントローラ等によるユーザ１０２の操作に基づいてユーザ１０２の眼の分解能を測定して判断する。この場合、分解能判断部２０２は、視距離測定部２００が測定した視距離、及びユーザ１０２の視力測定チャートに対する返答に基づいて、ユーザ１０２の近視視力、遠視視力、又は乱視視力を算出してもよい。
【００２８】
また他の例では、分解能判断部２０２は、ユーザの画像パターンに対応づけて、ユーザの眼の分解能を予め格納していてもよい。そして、分解能判断部２０２は、表示部２１０を見ているユーザ１０２の画像を撮像し、画像に含まれるユーザ１０２を画像マッチング等により抽出してユーザ１０２を判断して、ユーザ１０２の眼の分解能を判断してもよい。
【００２９】
処理開始距離格納部２０４は、図４に示すように、ユーザの眼の分解能である近視視力、遠視視力、及び乱視視力の少なくとも１つに対応づけて距離を格納する。処理開始距離格納部２０４が格納する距離は、ユーザの眼によって焦点調整が適切に行われる限界の距離、即ち、近視又は乱視のユーザの眼によって焦点調整が適切に行われる最大距離、遠視のユーザの眼によって焦点調整が適切に行われる最小距離である。
【００３０】
画像処理部２０８は、分解能判断部２０２が判断したユーザ１０２の眼の分解能、及び視距離測定部２００が測定した視距離に基づいて、表示部２１０に表示される画像格納部２０６が格納している画像のエッジ領域において空間周波数の高周波成分を強調する。また、画像処理部２０８は、分解能判断部２０２が判断した表示部２１０が表示する画像における各方向毎のユーザ１０２の眼の分解能のそれぞれ、及び視距離測定部２００が測定した視距離に基づいて、表示部２１０に表示される画像格納部２０６が格納している画像のエッジ領域において空間周波数の高周波成分を強調する。
【００３１】
例えば、画像処理部２０８は、表示部２１０に表示される画像に対してエッジ強調処理を施す。そして、表示部２１０は、画像処理部２０８によってエッジ領域において空間周波数の高周波成分を強調された画像を表示する。なお、画像処理部２０８は、表示部２１０が有する表示画素を構成する各色毎、例えば、赤、緑、青のそれぞれについてのエッジ領域を抽出し、表示部２１０に表示される画像の各色毎のエッジ領域において空間周波数の高周波成分を強調してもよい。
【００３２】
具体的には、画像処理部２０８は、分解能判断部２０２が判断したユーザ１０２の眼の分解能である近視視力に対応づけて処理開始距離格納部２０４が格納する距離と、視距離測定部２００が測定した視距離とを比較する。そして、画像処理部２０８は、視距離測定部２００が測定した視距離が、分解能判断部２０２が判断したユーザ１０２の眼の分解能に対応づけて処理開始距離格納部２０４が格納する距離より大きい場合に表示部２１０に表示される画像のエッジ領域において空間周波数の高周波成分を強調し、分解能判断部２０２が判断したユーザ１０２の眼の分解能に対応づけて処理開始距離格納部２０４が格納する距離より小さい場合に表示部２１０に表示される画像のエッジ領域において空間周波数の高周波成分を強調しない。
【００３３】
また、画像処理部２０８は、分解能判断部２０２が判断したユーザ１０２の眼の分解能である遠視視力に対応づけて処理開始距離格納部２０４が格納する距離と、視距離測定部２００が測定した視距離とを比較する。そして、画像処理部２０８は、視距離測定部２００が測定した視距離が、分解能判断部２０２が判断したユーザ１０２の眼の分解能に対応づけて処理開始距離格納部２０４が格納する距離より小さい場合に表示部２１０に表示される画像のエッジ領域において空間周波数の高周波成分を強調し、分解能判断部２０２が判断したユーザ１０２の眼の分解能に対応づけて処理開始距離格納部２０４が格納する距離より大きい場合に表示部２１０に表示される画像のエッジ領域において空間周波数の高周波成分を強調しない。
【００３４】
また、画像処理部２０８は、視距離測定部２００が測定した視距離が、所定の方向について分解能判断部２０２が判断したユーザ１０２の眼の分解能に対応づけて処理開始距離格納部２０４が格納する距離より大きい場合に表示部２１０に表示される画像のエッジ領域において当該所定の方向の空間周波数の高周波成分を強調し、当該所定の方向について分解能判断部２０２が判断したユーザ１０２の眼の分解能に対応づけて処理開始距離格納部２０４が格納する距離より小さい場合に表示部２１０に表示される画像のエッジ領域において当該所定の方向の空間周波数の高周波成分を強調しない。
【００３５】
以下、図５を参照して、画像処理部２０８による画像処理方法を説明する。画像処理部２０８は、ユーザ１０２の眼によって認識することができない空間周波数の高周波成分を、表示部２１０に表示される画像のエッジ領域に重畳する。
【００３６】
具体的には、画像処理部２０８は、図５に示す原画像５００のエッジ領域を補正画像５０４のように補正する。即ち、表示部２１０に原画像５００が表示された場合に、眼の分解能が低いユーザは、原画像５００を認識画像５０２として認識するので、画像処理部２０８は、眼の分解能が低いユーザが原画像５００を原画像５００と認識できるように、空間周波数の高周波成分を原画像５００のエッジ領域に重畳する。
【００３７】
また、画像処理部２０８は、図５に示す原画像５００のエッジ領域を補正画像５０６のように補正してもよい。即ち、表示部２１０に原画像５００が表示された場合に、眼の分解能が低いユーザは、原画像５００のエッジを認識することが難しいので、画像処理部２０８は、眼の分解能が低いユーザが原画像５００のエッジを適切に認識できるように、表示部２１０に表示される画像のエッジのレベルを強調し、エッジに隣接する領域のレベルを、エッジのレベル強調と反対の方向に強調してもよい。
【００３８】
以上のように、表示部２１０に表示される画像のエッジ領域を、ユーザ１０２の眼の分解能及び視距離に基づいて補正することによって、視距離が変化した場合であっても適切に画像処理を施して、ユーザ１０２に対して高画質な画像を提供することができる。また、ユーザ１０２の視距離に応じて、画像処理を施すか否かを決定することによって、ユーザ１０２が適切に画像を認識しているときに無駄な画像処理を施すことを防ぐことができる。
【００３９】
図６、図７、図８、図９、及び図１０は、本発明の第２実施形態に係る表示装置１００の構成の一例を示す。図６は、本実施形態に係る表示装置１００の構成の一例を示す。図７は、本実施形態に係る視距離分解能格納部６０４が格納する視距離分解能データの一例を示す。図８は、近視及び遠視のユーザに関する視距離分解能データの一例を示す。図９は、近視のユーザに関する視距離分解能データの一例を示す。図１０は、遠視のユーザに関する視距離分解能データの一例を示す。
【００４０】
図６に示すように、表示装置１００は、視距離測定部６００、分解能判断部６０２、視距離分解能格納部６０４、画像格納部６０６、画像処理部６０８、及び表示部６１０を備える。なお、第２実施形態に係る表示装置１００の動作及び機能は、以下に説明する部分を除き、第１実施形態に係る表示装置１００の動作及び機能と同一であるので説明を省略する。例えば、視距離測定部６００、分解能判断部６０２、画像格納部６０６、画像処理部６０８、及び表示部６１０の動作及び機能は、視距離測定部２００、分解能判断部２０２、画像格納部２０６、画像処理部２０８、及び表示部２１０の動作及び機能と同一であってよい。
【００４１】
視距離分解能格納部６０４は、図７に示すように、表示部６１０とユーザとの距離である視距離毎のユーザの眼の分解能のデータである視距離分解能データを、視距離分解能テーブル７００、７０２、・・・７０４として、ユーザ毎に格納する。例えば、近視及び遠視のユーザに関して、図８のような視距離分解能データを格納する。近視及び遠視のユーザは、視距離が小さい場合、及び視距離が大きい場合の双方において分解能が低く、認識する画像のぼけ量が大きい。また、近視のユーザに関して、図９のような視距離分解能データを格納する。近視のユーザは、視距離が大きい場合において分解能が低く、認識する画像のぼけ量が大きい。また、遠視のユーザに関して、図１０のような視距離分解能データを格納する。遠視のユーザは、視距離が小さい場合において分解能が低く、認識する画像のぼけ量が大きい。
【００４２】
分解能判断部６０２は、表示部６１０を見ているユーザ１０２を判断して、ユーザ１０２に関する視距離分解能データを視距離分解能格納部６０４から抽出する。例えば、分解能判断部６０２は、ユーザの画像パターンに対応づけて視距離分解能データの識別情報を格納しており、表示部６１０を見ているユーザ１０２の画像を撮像し、画像に含まれるユーザ１０２を画像マッチング等により抽出してユーザ１０２を判断する。また、分解能判断部６０２は、視距離分解能格納部６０４が格納している視距離分解能データを表示部６１０に表示して、表示部６１０を見ているユーザ１０２に選択させてもよい。
【００４３】
分解能判断部６０２は、視距離測定部６００が測定した視距離に対応づけて視距離分解能格納部６０４が格納するユーザ１０２の眼の分解能を判断する。即ち、分解能判断部６０２は、視距離分解能格納部６０４から抽出した視距離分解能テーブルにおいて、視距離測定部６００が測定した視距離に対応づけて格納されるユーザ１０２の眼の分解能を判断する。そして、画像処理部６０８は、分解能判断部６０２が判断した分解能に基づいて、表示部６１０に表示される画像のエッジ領域において空間周波数の高周波成分を強調する
。即ち、画像処理部６０８は、分解能判断部６０２が判断した分解能が低いほど、つまりユーザ１０２が認識する画像のぼけ量が大きいほど、表示部６１０に表示される画像のエッジ領域における空間周波数の高周波成分の強調度合いを大きし、ユーザ１０２によって認識される画像が高画質になるように画像処理を施す。
【００４４】
以上のように、近視及び遠視を任意に有するユーザ毎に、ユーザの眼の分解能を視距離に対応づけて予め格納しておき、表示部６１０に表示される画像に対して視距離に応じて画像処理を施すことによって、視距離に関わらず高画質な画像をユーザ１０２に提供することができる。また、視距離測定部６００が連続的に視距離を測定し、画像処理部６０８が視距離測定部６００が測定した視距離に追従させて画像処理の強度を変更することによって、ユーザ１０２が表示部６１０に表示された画像を見ながら移動した場合であっても、表示部６１０に表示される画像に対して常に適切な画像処理を施して高画質な画像をユーザ１０２に提供し続けることができる。
【００４５】
図１１は、第１実施形態及び第２実施形態に係る表示装置１００ハードウェア構成の一例を示す。表示装置１００は、ホスト・コントローラ１５８２により相互に接続されるＣＰＵ１５０５、ＲＡＭ１５２０、グラフィック・コントローラ１５７５、及び表示デバイス１５８０を有するＣＰＵ周辺部と、入出力コントローラ１５８４によりホスト・コントローラ１５８２に接続される通信インターフェイス１５３０、ハードディスクドライブ１５４０、及びＣＤ−ＲＯＭドライブ１５６０を有する入出力部と、入出力コントローラ１５８４に接続されるＲＯＭ１５１０、フレキシブルディスク・ドライブ１５５０、及び入出力チップ１５７０を有するレガシー入出力部とを備える。
【００４６】
ホスト・コントローラ１５８２は、ＲＡＭ１５２０と、高い転送レートでＲＡＭ１５２０をアクセスするＣＰＵ１５０５及びグラフィック・コントローラ１５７５とを接続する。ＣＰＵ１５０５は、ＲＯＭ１５１０及びＲＡＭ１５２０に格納されたプログラムに基づいて動作し、各部の制御を行う。グラフィック・コントローラ１５７５は、ＣＰＵ１５０５等がＲＡＭ１５２０内に設けたフレーム・バッファ上に生成する画像データを取得し、表示デバイス１５８０上に表示させる。これに代えて、グラフィック・コントローラ１５７５は、ＣＰＵ１５０５等が生成する画像データを格納するフレーム・バッファを、内部に含んでもよい。
【００４７】
入出力コントローラ１５８４は、ホスト・コントローラ１５８２と、比較的高速な入出力装置である通信インターフェイス１５３０、ハードディスクドライブ１５４０、ＣＤ−ＲＯＭドライブ１５６０を接続する。通信インターフェイス１５３０は、ネットワークを介して他の装置と通信する。ハードディスクドライブ１５４０は、表示装置１００内のＣＰＵ１５０５が使用するプログラム及びデータを格納する。ＣＤ−ＲＯＭドライブ１５６０は、ＣＤ−ＲＯＭ１５９５からプログラム又はデータを読み取り、ＲＡＭ１５２０を介してハードディスクドライブ１５４０に提供する。
【００４８】
また、入出力コントローラ１５８４には、ＲＯＭ１５１０と、フレキシブルディスク・ドライブ１５５０、及び入出力チップ１５７０の比較的低速な入出力装置とが接続される。ＲＯＭ１５１０は、表示装置１００が起動時に実行するブート・プログラムや、表示装置１００のハードウェアに依存するプログラム等を格納する。フレキシブルディスク・ドライブ１５５０は、フレキシブルディスク１５９０からプログラム又はデータを読み取り、ＲＡＭ１５２０を介してハードディスクドライブ１５４０に提供する。入出力チップ１５７０は、フレキシブルディスク・ドライブ１５５０や、例えばパラレル・ポート、シリアル・ポート、キーボード・ポート、マウス・ポート等を介して各種の入出力装置を接続する。
【００４９】
ＲＡＭ１５２０を介してハードディスクドライブ１５４０に提供されるプログラムは、フレキシブルディスク１５９０、ＣＤ−ＲＯＭ１５９５、又はＩＣカード等の記録媒体に格納されて利用者によって提供される。プログラムは、記録媒体から読み出され、ＲＡＭ１５２０を介して表示装置１００内のハードディスクドライブ１５４０にインストールされ、ＣＰＵ１５０５において実行される。表示装置１００にインストールされて実行されるプログラムは、ＣＰＵ１５０５等に働きかけて、表示装置１００を、図１から図１０にかけて説明した表示装置１００として機能させる。
【００５０】
以上に示したプログラムは、外部の記憶媒体に格納されてもよい。記憶媒体としては、フレキシブルディスク１５９０、ＣＤ−ＲＯＭ１５９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、ネットワークを介してプログラムを表示装置１００に提供してもよい。
【００５１】
以上、実施形態を用いて本発明を説明したが、本発明の技術的範囲は上記実施形態に記載の範囲には限定されない。上記実施形態に、多様な変更又は改良を加えることができる。そのような変更又は改良を加えた形態も本発明の技術的範囲に含まれ得ることが、特許請求の範囲の記載から明らかである。
【図面の簡単な説明】
【００５２】
【図１】表示装置１００の機能の概要を示す図である。
【図２】表示装置１００の構成を示す図である。
【図３】分解能判断部２０２が表示させる視力測定チャートを示す図である。
【図４】処理開始距離格納部２０４のデータ構成を示す図である。
【図５】画像処理部２０８による画像処理方法を示す図である。
【図６】表示装置１００の構成を示す図である。
【図７】視距離分解能格納部６０４が格納する視距離分解能データを示す図である。
【図８】近視及び遠視のユーザに関する視距離分解能データを示す図である。
【図９】近視のユーザに関する視距離分解能データを示す図である。
【図１０】遠視のユーザに関する視距離分解能データを示す図である。
【図１１】表示装置１００ハードウェア構成を示す図である。
【符号の説明】
【００５３】
１００  表示装置
１０２  ユーザ
２００  視距離測定部
２０２  分解能判断部
２０４  処理開始距離格納部
２０６  画像格納部
２０８  画像処理部
２１０  表示部
５００  原画像
５０２  認識画像
５０４  補正画像
５０６  補正画像
６００  視距離測定部
６０２  分解能判断部
６０４  視距離分解能格納部
６０６  画像格納部
６０８  画像処理部
６１０  表示部
７００  視距離分解能テーブル
７０２  視距離分解能テーブル
７０４  視距離分解能テーブル
【図１】
2005338418.tif 000003
【図２】
2005338418.tif 000004
【図３】
2005338418.tif 000005
【図４】
2005338418.tif 000006
【図５】
2005338418.tif 000007
【図６】
2005338418.tif 000008
【図７】
2005338418.tif 000009
【図８】
2005338418.tif 000010
【図９】
2005338418.tif 000011
【図１０】
2005338418.tif 000012
【図１１】
2005338418.tif 000013